(57)【要約】【課題】【解決手段】ドラム式洗濯機およびその洗浄方法。ドラム式洗濯機は、内槽（１）と、外槽（２）とを備え、外槽（２）と内槽（１）との間にリング状の離隔通路（６）が設けられ、給水孔（３）および出水孔（４）が外槽（２）のリング状の離隔通路（６）に対応するリング状の領域内に設けられ、排水孔（５）が内槽（１）のリング状の離隔通路（６）に対応するリング状の領域内に設けられ、内槽（１）のリング状の離隔通路（６）に対応するリング状の領域以外の領域は無孔構造であり、内槽（１）の前端開口がスペーサにより外槽（２）の前端開口から離隔される。【選択図】    図１
2019517365.tif 000002
【特許請求の範囲】
【請求項１】
内槽（１）と、外槽（２）と、排水装置（１１）とを備え、前記外槽（２）に給水孔（３）および出水孔（４）が設けられ、前記内槽（１）に排水孔（５）が設けられ、
前記外槽（２）と前記内槽（１）との間にリング状の離隔通路（６）が設けられ、前記リング状の離隔通路（６）は、前記外槽（２）または前記内槽（１）に連結され、前記内槽（１）と前記外槽（２）との間に位置され、且つ、前記リング状の離隔通路（６）の外に位置する領域は、前記リング状の離隔通路（６）内の領域と連通せず、
前記給水孔（３）および前記出水孔（４）が前記外槽（２）の前記リング状の離隔通路（６）に対応するリング状の領域内に設けられ、前記排水孔（５）が前記内槽（１）の前記リング状の離隔通路（６）に対応するリング状の領域内に設けられ、前記内槽（１）の前記リング状の離隔通路（６）に対応するリング状の領域以外の領域は無孔構造であり、
前記排水装置（１１）が前記出水孔（４）に連結され、
前記内槽（１）の前端開口がスペーサにより前記外槽（２）の前端開口から離隔される、ドラム式洗濯機。
【請求項２】
前記リング状の離隔通路（６）が前記外槽（２）に連結され、前記リング状の離隔通路（６）と前記内槽（１）との間に密封部材（７）が設けられ、前記密封部材（７）が前記リング状の離隔通路（６）に連結される、請求項１に記載のドラム式洗濯機。
【請求項３】
前記リング状の離隔通路（６）は、間隔をあけて設けられる２つのリング状の壁板（６１・６２）を備え、前記密封部材（７）は、２つの密封リング（７１・７２）を備え、前記２つの密封リング（７１・７２）が前記２つのリング状の壁板（６１・６２）と１対１対応で連結される、請求項２に記載のドラム式洗濯機。
【請求項４】
前記リング状の離隔通路（６）が前記内槽（１）の外周壁と前記外槽（２）の内周壁との間に設けられ、前記排水孔（５）が前記内槽（１）の側壁の全周にわたって分布される、請求項１に記載のドラム式洗濯機。
【請求項５】
前記リング状の離隔通路（６）が前記内槽（１）の後端の外周壁に設けられ、前記排水孔（５）が前記内槽（１）の側壁の後端に設けられる、請求項４に記載のドラム式洗濯機。
【請求項６】
前記スペーサは洗濯機のドア（８）である、請求項１に記載のドラム式洗濯機。
【請求項７】
前記洗濯機のドア（８）と前記内槽（１）との間にリング状の密封部材（９）が設けられる、請求項６に記載のドラム式洗濯機。
【請求項８】
前記リング状の離隔通路（６）にシャワー装置（１５）が設けられ、前記シャワー装置（１５）の噴射方向は前記リング状の離隔通路（６）の内部に向かう方向である、請求項１に記載のドラム式洗濯機。
【請求項９】
前記内槽（１）の内周壁に導流構造（１２）が設けられる、請求項１に記載のドラム式洗濯機。
【請求項１０】
請求項１から９のいずれか１項に記載のドラム式洗濯機の洗浄方法であって、
前記排水装置（１１）をオンさせ、給水孔（３）を介して前記リング状の離隔通路（６）に注水し、水流は前記リング状の離隔通路（６）を洗い流してから外槽（２）における出水孔（４）を経て、前記排水装置（１１）を介して排出されるステップを含む、ドラム式洗濯機の洗浄方法。
【発明の詳細な説明】
【技術分野】
【０００１】
本開示は、洗濯機の技術分野に関し、例えば、ドラム式洗濯機およびその洗浄方法に関する。
【背景技術】
【０００２】
関連技術におけるドラム式洗濯機の内槽と外槽との間は、ユーザーにとって閉じた領域であり、直接洗浄することはできない。洗濯時に、汚水が内槽と外槽との間の領域を流れ、時間が経てば、この領域内に汚れが堆積され、長い間清掃しないと、洗濯工程において衣類を二次汚染し、ユーザーの健康に影響を及ぼし、更に洗濯機内に異臭が発生してしまう。
【０００３】
関連技術において、ドラム式洗濯機の内槽と外槽の清掃方法に、１．水流で内槽を洗い流し、内槽に付着された汚れを減少する方法と、２．定期的に槽洗浄用洗剤を用いて洗濯機を薬剤で洗浄し、汚れを除去する方法がある。上記の水流で洗い流す方式では、洗濯機をキレイ且つ徹底的に洗浄することができず、薬剤で洗浄する方式では、時間がかかる。
【０００４】
従って、汚れが内槽と外槽との間の領域に付着、堆積することを回避するドラム式洗濯機およびその洗浄方法が要求される。
【発明の概要】
【発明が解決しようとする課題】
【０００５】
本開示は、汚れが内槽と外槽との間の領域に付着、堆積することを回避するドラム式洗濯機およびその洗浄方法を提供する。
【課題を解決するための手段】
【０００６】
本開示は、以下の技術案を採用する。
【０００７】
本開示の一態様では、内槽と、外槽と、排水装置とを備え、外槽に給水孔および出水孔が設けられ、内槽に排水孔が設けられ、外槽と内槽との間にリング状の離隔通路が設けられ、リング状の離隔通路は、外槽または内槽に連結され、内槽と外槽との間に位置され、且つ、リング状の離隔通路の外に位置する領域がリング状の離隔通路内の領域と連通せず、給水孔および出水孔が外槽のリング状の離隔通路に対応するリング状の領域に設けられ、排水孔が内槽のリング状の離隔通路に対応するリング状の領域に設けられ、内槽のリング状の離隔通路に対応するリング状の領域以外の領域が無孔構造であり、排水装置が出水孔に連結され、内槽の前端開口がスペーサにより外槽の前端開口から離隔される洗濯機を提供する。
【０００８】
オプションとして、リング状の離隔通路が外槽に連結され、リング状の離隔通路と内槽との間に密封部材が設けられ、密封部材がリング状の離隔通路に連結される。
【０００９】
オプションとして、リング状の離隔通路は、間隔をあけて設けられる２つのリング状の壁板を備え、密封部材は、２つの密封リングを備え、２つの密封リングが２つのリング状の壁板と１対１対応で連結される。
【００１０】
オプションとして、リング状の離隔通路が内槽の外周壁と外槽の内周壁との間に設けられ、排水孔が内槽の側壁の全周にわたって分布される。
【００１１】
オプションとして、リング状の離隔通路が内槽の後端の外周壁に設けられ、排水孔が内槽の側壁の後端に設けられる。
【００１２】
オプションとして、スペーサは洗濯機のドアである。
【００１３】
オプションとして、洗濯機のドアと内槽との間にリング状の密封部材が設けられる。
【００１４】
オプションとして、リング状の離隔通路にシャワー装置が設けられ、シャワー装置の噴射方向はリング状の離隔通路の内部に向かう方向である。
【００１５】
オプションとして、内槽の内周壁に導流構造が設けられる。
【００１６】
本開示の別の態様では、排水装置をオンさせ、給水孔を介してリング状の離隔通路に注水し、水流はリング状の離隔通路を洗い流してから外槽における出水孔を経て、前記排水装置を介して排出されるステップを含む、上記のいずれか１項のドラム式洗濯機の洗浄方法を提供する。
【発明の効果】
【００１７】
本実施例のドラム式洗濯機は、スペーサとリング状の離隔通路を設置すること、および内槽のリング状の離隔通路に対応する領域以外の他の領域を無孔構造とすることにより、外槽と内槽との間の空間を内槽の内部から完全に離隔させ、更に、内槽と外槽との間に汚水の流れが形成されないことにより、汚れは外槽と内槽との間の領域に付着、堆積されない。リング状の離隔通路の面積が外槽の面積よりも遥かに小さいため、洗浄しやすく、汚れが付着、堆積しにくい。従って、該ドラム式洗濯機は、洗濯工程において衣類への二次汚染を減少することができ、洗濯機内の汚れの堆積による異臭を減少することができる。
【００１８】
本実施例のドラム式洗濯機において、オプションとして、リング状の離隔通路が外槽に連結され、リング状の離隔通路と内槽との間に密封部材が設けられ、密封部材がリング状の離隔通路に連結される。一方では、リング状の離隔通路は、外槽に連結されると、洗濯機の動作時に回動せず、内槽に連結されることに比べると、電力消費量が低下する。他方では、密封部材を使用すれば、リング状の離隔通路と内槽との間の接触および密封を保証することができ、特に、内槽が回動し且つ振れる場合、リング状の離隔通路の離隔効果を保証することができる。
【００１９】
本実施例のドラム式洗濯機において、オプションとして、リング状の離隔通路が内槽の後端に設けられ、排水孔が内槽の側壁の後端に設けられ、振れを効果的に低減することができる。
【００２０】
本実施例のドラム式洗濯機において、オプションとして、リング状の離隔通路にシャワー装置が設けられ、シャワー装置の噴射方向はリング状の離隔通路の内部に向かう方向である。洗浄工程において、シャワー装置により、リング状の離隔通路の内部（リング状の離隔通路の側壁、外槽の内周壁、および内槽の外周壁を含む）を指向的に洗い流すことができ、洗浄効果が高く、内槽内に入る水量をできる限り減少した。
【００２１】
本実施例のドラム式洗濯機の洗浄方法は、排水装置をオンさせ、給水口を介してリング状の離隔通路に注水し、水流はリング状の離隔通路を洗い流してから外槽における出水孔を経て、排水装置を介して排出されるステップを含む。該ドラム式洗濯機の外槽と内槽との間の空間が内槽の内部から完全に離隔され、汚れが外槽と内槽との間の領域に付着、堆積されない。該ドラム式洗濯機は、リング状の離隔通路のみを洗浄すればよく、更に、リング状通路の面積が小さいため、キレイに洗浄しやすい。該ドラム式洗濯機は、洗濯工程において衣類への二次汚染を減少することができ、汚れの堆積による洗濯機内に発生する異臭を減少することもできる。
【図面の簡単な説明】
【００２２】
【図１】図１は、本実施例に係るドラム式洗濯機の内部の構造模式図である。
【図２】図２は、図１におけるドラム式洗濯機の部分的な構造模式図である。
【図３】図３は、本実施例に係るシャワー装置の構造模式図である。
【図４】図４は、本実施例に係る導流構造の構造模式図である。
【図５】図５は、本実施例に係るドラム式洗濯機の洗浄方法のフローの模式図である。
【符号の説明】
【００２３】
１：内槽；２：外槽；３：給水孔；４：出水孔；５：排水孔；６：リング状の離隔通路；６１・６２：リング状の壁板；７：密封部材；７１・７２：密封リング；８：洗濯機のドア；８１：内槽のドア；８２：外槽のドア；９：リング状の密封部材；１０：給水管；１１：排水装置；１１０：排水管；１１１：排水ポンプ；１２：導流構造；１３：ドアパッキン；１４：筐体；１５：シャワー装置。
【発明を実施するための形態】
【００２４】
以下、図面を参照しながら具体的な実施形態により、本実施例の技術案を説明する。衝突しない限り、以下の実施例と実施例における特徴は、互いに任意に組み合わせることができる。
実施例１
【００２５】
図１および図２を参照し、本実施例において、ドラム式洗濯機は、内槽１と、外槽２と、排水装置１１とを備える。外槽２と内槽１との間にリング状の離隔通路６が設けられ、リング状の離隔通路６が外槽２または内槽１に連結され、つまり、リング状の離隔通路６は、内槽１に連結されて洗濯時に内槽１に伴って回転してもよく、外槽２に連結されて洗濯時に外槽２に伴って静止を維持してもよい。外槽２に給水孔３および出水孔４が設けられ、給水孔３および出水孔４が外槽２に設けられてリング状の離隔通路６のリング状の領域内に位置する。内槽１に排水孔５が設けられ、排水孔５が内槽１に設けられてリング状の離隔通路６のリング状の領域内に位置し、内槽１のリング状の離隔通路６に対応するリング状の領域以外の領域は無孔構造である。また、内槽１の前端開口がスペーサにより外槽２の前端開口から離隔される。ここで、前端開口は、内槽１と外槽２の、洗濯物を内槽１に入れる入口であってもよい。リング状の離隔通路（６）は、内槽（１）と外槽（２）との間の空間を２つの部分に分け、一方はリング状の離隔通路（６）の内部空間であり、他方はリング状の離隔通路（６）外の空間であり、リング状の離隔通路（６）の内部空間はリング状の離隔通路（６）外の空間と連通しない。外槽２の給水孔３が給水管１０に連結される。排水装置１１は、上排水装置または下排水装置であってもよく、本実施例において、上排水装置を採用する。上排水装置は、外槽２の出水孔４と連通する排水管１１０を備え、排水管１１０に排水ポンプ１１１が設けられる。給水管１０を介して、給水孔３を経てリング状の離隔通路６に注水し、水は、リング状の離隔通路６および排水孔５を介して内槽１に入る。排水時に、排水ポンプ１１１をオンさせ、内槽１内の水は、排水孔５を介してリング状の離隔通路６に入り、また、出水孔４を介して排水管１１０に排出される。
【００２６】
これにより、スペーサとリング状の離隔通路６を設置すること、および内槽１のリング状の離隔通路６のリング状の領域内に位置する領域以外の他の領域を無孔構造とすることにより、外槽２と内槽１との間の空間を内槽１の内部から完全に離隔させ、更に、内槽１と外槽２との間に汚水の流れが形成されず、汚れが外槽２と内槽１との間の領域に付着、堆積されることを回避する。リング状の離隔通路６の面積が外槽２の面積よりも遥かに小さいため、洗浄しやすく、更に汚れが付着、堆積しにくい。従って、本実施例のドラム式洗濯機は、洗濯工程において衣類への二次汚染を減少することができ、汚れの堆積による洗濯機内に発生する異臭を減少することもできる。
【００２７】
図１および図２を参照し、本実施例において、リング状の離隔通路６が内槽１の外周壁（内槽１の側壁の外表面）と外槽２の内周壁（外槽２の側壁の内表面）との間に設けられ、排水孔５が内槽１の側壁の全周にわたって分布される。排水孔５を１周または複数周に設けてもよく、または、排水孔５を交差して配置してもよい。しかし、排水孔５は、リング状の離隔通路６の領域内にしか設置できない。これは、内槽１の他の領域が無孔構造であるように保証し、更に、内槽１内の水が外槽２と内槽１との間の領域に入らないように保証するためである。
【００２８】
オプションとして、リング状の離隔通路６が外槽２に連結され、洗濯機の動作時に、リング状の離隔通路６は回動せず、リング状の離隔通路６が内槽１に連結されることに比べると、電力消費量が低下する。リング状の離隔通路６と内槽１との間に密封部材７が設けられてもよく、密封部材７がリング状の離隔通路６に連結され、すなわち、リング状の離隔通路６の内槽１に向かう側面に密封部材７が設けられ、それにより、リング状の離隔通路６は、内槽１と外槽２との間の領域（リング状の離隔通路６が占有する領域を除く）をリング状の離隔通路６のリング状の領域から離隔させることを保証し、内槽１が回動し且つ振れる場合、離隔効果を保証することができる。
【００２９】
オプションとして、リング状の離隔通路６は、間隔をあけて設けられる２つのリング状の壁板６１・６２を備え、密封部材７は、２つの密封リング７１・７２を備え、２つの密封リング７１・７２が２つのリング状の壁板６１・６２と１対１対応で連結（例えば、粘着等の固定連結方式を採用する）される。リング状の離隔通路６は、給水孔３と出水孔４とに連通し、リング状の離隔通路６は、内槽１の排水孔５に連通し、２つのリング状の壁板６１・６２は、両者の間のみに流れ、外槽２と内槽１との間の領域に入ることができないように水を制限する。オプションとして、２つのリング状の壁板６１・６２が平行に設けられる。
【００３０】
オプションとして、他の実施例において、リング状の離隔通路６が内槽１に連結されて内槽１と共に動いてもよく、この時、密封部材７がリング状の離隔通路６と外槽２との間に設けられる。
【００３１】
オプションとして、リング状の離隔通路６が内槽１の後端に設けられ、排水孔５が内槽１の側壁の後端に設けられる。つまり、内槽１の排水孔５の位置は、内槽１に連結される回転軸に近く、このように、振れを効果的に低減することができる。オプションとして、上記「内槽１の後端」とは、内槽１の縦方向の長さに沿う１／７箇所（例えば、内槽１と回転軸との連結箇所を縦方向の長さの開始点とする）およびそれ以降の部分を意味する。他の実施例において、洗濯機内槽１、外槽２および他の部材の設置に応じて、「内槽１の後端」の具体的な位置は、振れを低減することができる位置であればよい。
【００３２】
また、本実施例において、スペーサは洗濯機のドア８であってもよい。洗濯機のドア８を閉じると、洗濯機のドア８は、内槽１の前端開口および外槽２の前端開口を密封し、内槽１の前端開口を外槽２から離隔させる。洗濯機のドア８の内槽１から近い部分を内槽のドア８１と定義し、内槽のドア８１は、内槽１の前端開口を密封することに用いられ、内槽のドア８１と内槽１との間にリング状の密封部材９が設けられ、該リング状の密封部材９は、密封リングを選択することができ、密封リングが内槽のドア８１に固定される。洗濯機のドア８の内槽１から遠い部分を外槽のドア８２と定義し、外槽２と洗濯機の筐体１４とを密封するために、外槽のドア８２にドアパッキン１３が固定される。オプションとして、ドアの開閉操作をしやすいために、洗濯機のドア８は一体化された部材である。
【００３３】
オプションとして、スペーサは、内槽１と外槽２とを離隔させるための専用部材であってもよく、例えば、内槽１の前端と外槽２の前端との間の領域に設けられるストッパリング等であってもよい。
【００３４】
オプションとして、本実施例において、リング状の離隔通路６にシャワー装置が設けられ、図３は、本実施例に係るシャワー装置の構造模式図であり、シャワー装置１５の噴射方向はリング状の離隔通路６の内部に向かう方向である。洗浄工程において、シャワー装置１５により、リング状の離隔通路６の内部（リング状の離隔通路の側壁、外槽の内周壁、および内槽の外周壁を含む）を指向的に洗い流すことができ、洗浄効果が高く、且つ内槽１内に入る水量をできる限りに減少した。シャワー装置１５に送水するため、シャワー装置１５に連結される水管が設けられてもよい。
【００３５】
オプションとして、図４を参照し、内槽１の内周壁に導流構造１２が設けられる。本実施例において、導流構造１２は複数の突起を備え、突起の分布は全体として螺旋状をなす。他の実施例において、導流構造１２は導流溝等であってもよく、内槽１内の水を排水孔５に導くことができるものであればよい。
【００３６】
図１を参照し、内槽１の内部に第１領域Ｂが形成され、リング状の離隔通路６は第２領域Ａを形成し、内槽１と外槽２との間（リング状の離隔通路６以外の領域）は第３領域Ｃを形成し、第１領域Ｂは排水孔５を介して第２領域Ａと連通し、第１領域Ｂは第３領域Ｃと連通せず、第２領域Ａも第３領域Ｃと連通しない。
【００３７】
以下、本実施例のドラム式洗濯機の動作工程は、以下のとおりである。
【００３８】
洗濯時に、洗濯機のドア８を閉めて内槽１を閉鎖し、水道水は給水管１０を介して、給水孔３を経てリング状の離隔通路６に入り、その後、排水孔５を介して内槽１の内部に適当な水位まで入り、この時、第３領域Ｃ内に水が入らなく、第１領域Ｂおよび第２領域Ａ内のみに水が入った。
【００３９】
給水が終了すると、モータは、内槽１を駆動し、一定の回転時間と停止時間との比率のプログラムで洗濯する。
【００４０】
洗濯が終了すると、排水ポンプ１１１をオンさせて排水し、内槽１内の水は、排水孔５を介してリング状の離隔通路６に入り、その後、出水孔４を介して排水管１１０に入って排出される。
【００４１】
洗浄時に、水道水は、シャワー装置１５を介してリング状の離隔通路６に入り、リング状の離隔通路６の側壁と、リング状の離隔通路６に対応する外槽２の内壁領域および内槽１の外壁領域とを洗い流し、汚水を出水孔４から徹底的に押し流す。
【００４２】
洗浄が終了すると、内槽１で脱水し、水は、内槽１の内周壁における導流構造１２によって排水孔５に導かれ、その後、リング状の離隔通路６および出水孔４を介して排出される。
【００４３】
洗濯が終了するまで以上の工程を繰り返してすすぎ工程を行う。
実施例２
【００４４】
本実施例において、実施例１におけるドラム式洗濯機の洗浄方法を説明し、図５を参照し、該洗浄方法は、以下のステップを含む。
【００４５】
ステップ５１０において、排水装置１１をオンさせる。
【００４６】
ステップ５２０において、給水孔３を介してリング状の離隔通路６に注水し、水流は、リング状の離隔通路６を洗い流してから外槽２における出水孔４を経て、排水装置１１を介して排出される。
【００４７】
ドラム式洗濯機のリング状の離隔通路６の面積が小さいため、キレイに洗い流されやすい。上記ステップにより、リング状の離隔通路６の側壁、リング状の離隔通路６に対応する外槽２の内壁領域および内槽１の外壁領域をキレイに洗浄することができ、本実施例のドラム式洗濯機は、洗濯工程に衣類への二次汚染を減少することができ、汚れの堆積による洗濯機内に発生する異臭を減少することもできる。
【００４８】
シャワー装置１５が取り付けられた場合、シャワー装置１５を介してリング状の離隔通路６に注水することができる。シャワー装置１５が取り付けられない場合、給水管１０を介して給水孔３に注水してリング状の離隔通路６を洗い流すことができる。
【産業上の利用可能性】
【００４９】
本開示は、洗濯工程において、汚れの堆積による衣類への二次汚染を解決し、並びに洗濯機内の汚れの堆積による異臭を減少することができるドラム式洗濯機およびその洗浄方法を提供する。
【図１】
2019517365.tif 000003
【図２】
2019517365.tif 000004
【図３】
2019517365.tif 000005
【図４】
2019517365.tif 000006
【図５】
2019517365.tif 000007
【国際調査報告】
2019517365.tif 000008
2019517365.tif 000009
2019517365.tif 000010
2019517365.tif 000011